(57)【特許請求の範囲】
【請求項１】
固定接点が設けられた固定接触子と、
前記固定接点と開閉可能な可動接点が設けられた可動接触子と、
前記可動接触子を保持し開閉軸を介して回動可能に支持された可動子ホルダと、
ラッチ回転軸を支点に回動可能に支持されたラッチと、
前記ラッチの回動を阻止するように前記ラッチと係合可能に構成され、ラッチ受け回転軸を支点に回動可能に支持されたラッチ受けと、
前記ラッチ受けと係合可能に構成され、クロスバー回転軸を支点に回動可能に支持されたトリップクロスバーと、
レバー軸を支点に揺動自在に支持され開閉ハンドルが装着されたハンドルレバーと、
一端がトグル軸にて互いに連結された第一リンクおよび第二リンクからなり、前記第一リンクの他端は前記ラッチに連結され、前記第二リンクの他端は前記可動子ホルダに連結されたトグル機構と、
前記トグル軸と前記ハンドルレバーとに両端がそれぞれ連結された開閉スプリングと、
前記ラッチに設けられ、トリップ動作時において前記ラッチ受けの端部に接触することで前記ラッチ受けを回動させるラッチ突起部と、
前記ラッチ受けに設けられ、前記トリップクロスバーに接触しながら前記ラッチのトリップ動作を前記トリップクロスバーに伝達することで、前記トリップクロスバーを回動させるラッチ受け突起部とを備えることを特徴とする回路遮断器。
【請求項２】
前記ラッチ受け突起部の先端には、前記ラッチ受け回転軸を中心とした円弧のカム形状が形成されていることを特徴とする請求項１記載の回路遮断器。
【発明の詳細な説明】
【技術分野】
【０００１】
本発明は回路遮断器に関し、特に、ラッチ受けを介してラッチのトリップ動作をトリップクロスバーに伝達する方法に適用して好適なものである。
【背景技術】
【０００２】
回路遮断器では、回路遮断器の引き外し動作を行わせるためにトリップ機構が設けられ、特許文献１には、ラッチばねを要することなく組み立て作業が容易で安価なトリップ機構が開示されている。
図１１は、従来の回路遮断器の主要部の概略構成を示す側面図である。
図１１において、回路遮断器には、可動接触子１１６および固定接触子１１７が設けられ、可動接触子１１６の先端には可動接点１２５が設けられるとともに、可動接触子１１６の後端にはリード線１２７が接続され、固定接触子１１７には固定接点１２６が設けられている。ここで、可動接触子１１６は、可動子ホルダ１０６にて支持され、可動接点１２５が固定接点１２６に接触したり、固定接点１２６から離間したりできるように回動可能に構成されている。
【０００３】
また、開閉ハンドル１０８はハンドルレバー１０９に連結され、ハンドルレバー１０９は開閉スプリング１１０の一端に連結されるとともに、開閉スプリング１１０の他端はトグルピン１０７に連結されている。また、回路遮断器には、第一リンク１０２と第二リンク１０３からなるトグル機構１０１が設けられ、第一リンク１０２の上端はラッチ１０４に回転自由に連結されるとともに、第二リンク１０３は可動子ホルダ１０６に連結されている。また、回路遮断器には、バイメタルや電磁石からなる電流検知部１２４が設けられ、電流検知部１２４はリード線１２７を介して可動接触子１１６に接続されている。
【０００４】
また、回路遮断器には、ラッチ回転軸１１１を支点に回動自在に支持されたラッチ１０４が設けられるとともに、ラッチ１０４を支持するラッチ受け１０５およびトリップクロスバーを支持するトリップレバー１１４が設けられている。ここで、ラッチ１０４にはラッチ突起部１２１が設けられるとともに、トリップレバー１１４にはカム部１２３が設けられている。また、ラッチ１０４はラッチ回転軸１１１の回りを回動可能に構成され、ラッチ受け１０５はラッチ受け回転軸１１３の回りを回動可能に構成され、トリップレバー１１４はトリップレバー回転軸１２０の回りを回動可能に構成されている。
【０００５】
そして、開閉ハンドル１０８の揺動操作によってハンドルレバー１０９が動作する。そして、ハンドルレバー１０９が動作すると、開閉スプリング１１０の復帰力の作用方向が変化することでトグル機構１０１が作動し、可動子ホルダ１０６を介して可動接触子１１６を回動させることで、可動接点１２５と固定接点１２６とを開極させたり、閉極させたりすることができる。
【０００６】
図１２は、従来の回路遮断器のトリップ機構部の定常状態を示す側面図、図１３は、従来の回路遮断器のトリップ機構部のトリップ状態を示す側面図である。
図１２において、トリップ機構部の定常状態では、ラッチ１０４はラッチ受け１０５とトリップレバー１１４によって支持されている。このとき、ラッチ１０４は第一リンク１０２を介して開閉スプリング１１０の復帰力によって反時計回りの回転トルクが印加される。
【０００７】
そして、回路遮断器に異常電流が流れた場合、図１３に示すように、電流検知部１２４が異常電流によって動作し、トリップレバー１１４を動作させ、ラッチ１０４とラッチ受け１０５の係合が外されると、ラッチ１０４は反時計まわりに動作する。このラッチ１０４の動作によってラッチ突起部１２１がカム部１２３を押し上げるように動作し、トリップレバー１１４は、ラッチ１０４と連動しながら所定の位置まで時計回りに動作することで、トリップ状態に移行する。
【０００８】
ここで、回路遮断器では、異常電流検知時の機構部トリップ動作によって動作する警報出力接点ユニットが使われる場合がある。警報出力接点ユニットは内装あるいは外装される付属品であり、異常電流検知時の機構部トリップ動作を電気的信号として出力する付属品である。この従来例では、ラッチ１０４の動作に連動したトリップレバー１１４に設けられた伝達部品を用いて警報出力接点を駆動する構造となっている。
【０００９】
ここで、多極遮断器では、トリップクロスバーは、極間を跨ぐ部品であるため絶縁体を用いて構成する必要がある。このため、図１１のトリップ機構部では、金属板で構成されたトリップレバー１１４の穴部に絶縁体からなるトリップクロスバーの部品を貫通させ、ラッチの機械的信号を受け取る金属部品と極間を跨ぐ絶縁体部品の２部品からトリップクロスバーが構成されていた。
【特許文献１】特開２００１−３５１４９６号公報
【発明の開示】
【発明が解決しようとする課題】
【００１０】
しかしながら、従来の回路遮断器では、ラッチ１０４に設けられたラッチ突起部１２１の動作によってトリップレバー１１４を所定の位置まで回転させる構造であるため、トリップレバー１１４は板状の突起を有する部品となる。このため、ラッチの機械的信号を受け取る金属部品と極間を跨ぐ絶縁体部品の２部品からトリップクロスバーを構成した場合、ラッチ１０４のトリップ動作を直接受けるための強度を確保することが難しいという問題があった。
【００１１】
また、トリップレバーカム部１２３がトリップ時に回路遮断器の上面方向に移動するため、開閉ハンドル１０８との干渉を避ける必要があり、動作スペースが大きくなるという問題があった。
そこで、本発明の目的は、ラッチのトリップ動作をトリップクロスバーにて直接受けることなく、トリップ時のラッチ動作を確実にトリップクロスバーに伝達するとともに、トリップクロスバーの動作スペースを縮小化することが可能な回路遮断器を提供することである。
【課題を解決するための手段】
【００１２】
上述した課題を解決するために、請求項１記載の回路遮断器によれば、固定接点が設けられた固定接触子と、前記固定接点と開閉可能な可動接点が設けられた可動接触子と、前記可動接触子を保持し開閉軸を介して回動可能に支持された可動子ホルダと、ラッチ回転軸を支点に回動可能に支持されたラッチと、前記ラッチの回動を阻止するように前記ラッチと係合可能に構成され、ラッチ受け回転軸を支点に回動可能に支持されたラッチ受けと、前記ラッチ受けと係合可能に構成され、クロスバー回転軸を支点に回動可能に支持されたトリップクロスバーと、レバー軸を支点に揺動自在に支持され開閉ハンドルが装着されたハンドルレバーと、一端がトグル軸にて互いに連結された第一リンクおよび第二リンクからなり、前記第一リンクの他端は前記ラッチに連結され、前記第二リンクの他端は前記可動子ホルダに連結されたトグル機構と、前記トグル軸と前記ハンドルレバーとに両端がそれぞれ連結された開閉スプリングと、前記ラッチに設けられ、トリップ動作時において前記ラッチ受けの端部に接触することで前記ラッチ受けを回動させるラッチ突起部と、前記ラッチ受けに設けられ、前記トリップクロスバーに接触しながら前記ラッチのトリップ動作を前記トリップクロスバーに伝達することで、前記トリップクロスバーを回動させるラッチ受け突起部とを備えることを特徴とする。
【００１３】
これにより、ラッチのトリップ動作をトリップクロスバーにて直接受けることなく、トリップ時のラッチ動作を確実にトリップクロスバーに伝達することが可能となる。このため、ラッチのトリップ動作を受けるためのトリップレバーカム部をトリップクロスバーに設ける必要がなくなり、ラッチのトリップ動作時にトリップクロスバーが開閉ハンドルと干渉するのを防止して、トリップクロスバーの動作スペースを縮小化することが可能となる。
【００１４】
また、ラッチ受けに設けたラッチ受け突起部をトリップクロスバーに設けたクロスバーカム部と接触させることで、ラッチ受けを介してラッチのトリップ動作をトリップクロスバーに伝達することが可能となり、警報出力接点ユニットなどの付属品への機械的信号を確実に伝達することができる。このため、ラッチの機械的信号を受け取る金属部品と極間を跨ぐ絶縁体部品の２部品からトリップクロスバーを構成する必要がなくなり、単一部品で構成することが可能となることから、機器の小形化、低コスト化を図るとともに、信頼性を向上させることができる。
【００１５】
また、請求項２記載の回路遮断器によれば、前記ラッチ受け突起部の先端には、前記ラッチ受け回転軸を中心とした円弧のカム形状が形成されていることを特徴とする。
これにより、ラッチの蹴り出し動作による慣性力によってラッチ受けが過回転した場合においても、トリップクロスバーに設けたクロスバーカム部を押し込む力が発生しないようにして、トリップクロスバーが所定の角度以上に回転するのを防止することができる。また、警報出力接点ユニットなどの付属品の出力部に反力を受けながらトリップクロスバーが動作しようとした場合においても、ラッチ受け突起部の円弧面によってクロスバーカム部の端部の動作を阻害し、ラッチ受けが反時計回りに動作するような力を発生させないようにして、ラッチ受け回転軸の中心方向への軸力とすることができ、所定の開度を維持することが可能となる。
【発明の効果】
【００１６】
以上説明したように、本発明によれば、ラッチ受けに設けたラッチ受け突起部をトリップクロスバーに設けたクロスバーカム部と接触させることで、ラッチ受けを介してラッチのトリップ動作をトリップクロスバーに伝達することが可能となり、トリップ動作時におけるラッチ受けおよびトリップクロスバーの動作スペースを縮小化することが可能となるとともに、警報出力接点ユニットなどの付属品への機械的信号を確実に伝達することができ、機器の信頼性を向上させることができる。
【発明を実施するための最良の形態】
【００１７】
以下、本発明の実施形態に係る回路遮断器について図面を参照しながら説明する。
図１は、本発明の一実施形態に係る回路遮断器の概略構成を示す断面図、図２は、本発明の第１実施形態に係る回路遮断器における開閉機構部の概略構成を示す斜視図、図３は、本発明の第１実施形態に係る回路遮断器における開閉機構部の閉極状態を示す側面図である。
【００１８】
図１〜３において、回路遮断器には、可動接触子１６および固定接触子１７が各相ごとに設けられ、各可動接触子１６の先端には可動接点２５が設けられるとともに、各可動接触子１６の後端にはリード線が接続され、各固定接触子１７には固定接点２６が設けられている。なお、図２では、２相分の可動接触子１６および固定接触子１７を設けた例を示す。ここで、各相の可動接触子１６は、回動運動可能に支持された１個の可動子ホルダ６にて各相独立に回動可能に支持され、可動接点２５が固定接点２６に接触したり、固定接点２６から離間したりできるように構成されている。
【００１９】
また、開閉ハンドル８はハンドルレバー９に連結され、ハンドルレバー９は開閉ハンドル８に連動するように組み立てられている。また、回路遮断器には、開閉機構部を支持するサイドプレート１５が設けられ、ハンドルレバー９は、レバー軸を支点に揺動自在に支持され、サイドプレート１５に回転中心を有するように構成されている。また、ハンドルレバー９は開閉スプリング１０の一端に連結されるとともに、開閉スプリング１０の他端はトグルピン７に連結されている。
【００２０】
また、回路遮断器には、トグルピン７を介して互いに連結された第一リンク２と第二リンク３からなるトグル機構１が設けられ、第一リンク２の上端はラッチ４に回転自由に連結されるとともに、第二リンク３は可動子ホルダ６に連結されている。また、トグルピン７には、引張りスプリングで構成される開閉スプリング１０の下端フック部が引っ掛けられ、開閉スプリング１０の上端フック部はハンドルレバー９の上端に引っ掛けられている。ここで、トグル機構１および開閉スプリング１０は回路遮断器の開閉機構を構成することができ、ハンドルレバー９の開閉操作により開閉スプリング１０に対する作用方向を反転させて可動子ホルダ６を開閉駆動するとともに、ラッチ４の係止が外されることにより開閉スプリング１０のトグル機構１に対する作用を反転させて可動子ホルダ６をトリップ駆動することができる。
【００２１】
また、サイドプレート１５には、トグルピン７と接触することでトグル機構１を既定の位置で停止させるリンクストッパ２４が設けられている。また、回路遮断器には、ラッチ回転軸１１を支点に回動自在に支持されたラッチ４が設けられるとともに、ラッチ４と係合可能に構成されたラッチ受け５およびラッチ受け５と係合可能に構成されたトリップクロスバー１４が設けられている。また、サイドプレート１５には、トリップ開極時にラッチ４を規定の位置で静止させるラッチストッパ１２が設けられている。
【００２２】
ここで、ラッチ４はラッチ回転軸１１の回りを回動可能に構成され、ラッチ受け５はラッチ受け回転軸１３の回りを回動可能に構成され、トリップクロスバー１４はクロスバー回転軸２０の回りを回動可能に構成されている。また、ラッチ４にはラッチ受け回転軸１３に係合可能に構成されたラッチ突起部２１が設けられるとともに、トリップクロスバー１４には、クロスバーカム部２３が設けられ、ラッチ受け５には、ラッチ受け突起部２２が設けられている。
【００２３】
ここで、ラッチ突起部２１は円弧または斜面を有するように構成され、ラッチ受け５の端部に接触することでラッチ受け５を強制的に動作させることができる。また、ラッチ受け突起部２２は、クロスバーカム部２３に当接しながらトリップクロスバー１４を駆動することができ、クロスバーカム部２３は、ラッチ受け突起部２２の先端部に当接しながらラッチ受け突起部２２を受け止めることができる。
【００２４】
また、回路遮断器には、開閉機構部のほかに異常電流を遮断する時などに用いる消弧室１９、図示しないバイメタルや電磁石からなる異常電流検知部や端子部などが設けられ、これらの構成要素は、主に樹脂からなるケース１８に収納されている。
そして、開閉ハンドル８の左右方向への開閉操作により、開閉ハンドル８と連動するハンドルレバー９と、開閉スプリング１０により動作するトグル機構１が駆動される。そして、可動子ホルダ６に連結された可動接点２５を含む可動接触子１６が可動子ホルダ６とともに回動することで、可動接点２５が固定接点２６と接触したり開離したりして閉極または開極動作することができる。
【００２５】
図４は、本発明の第１実施形態に係る回路遮断器における開閉機構部の開極状態を示す側面図である。
図４において、開極状態ではトグルピン７に引っ掛けられた開閉スプリング１０の発生力により、ラッチ４に設けられた軸を回転中心として第一リンク２が反時計まわりに回転する。このとき、第一リンク２と第二リンク３を連結し、開閉スプリング１０が引っ掛けられたトグルピン７と、サイドプレート１５に設けられたリンクストッパ２４とが接触し、トグル機構１を既定の位置で停止させる。これによって、第二リンク３を介して第一リンク２と連結された可動子ホルダ６の停止位置を決定することができ、可動子ホルダ６と連動する可動接触子１６を通常の開極位置で停止させることができる。
【００２６】
図５は、本発明の第１実施形態に係る回路遮断器における開閉機構部のトリップ状態を示す側面図である。
図５において、異常電流検知時等におけるトリップ開極状態では、図示しない異常電流検知部からの機械的信号によりトリップクロスバー１４が反時計まわりに動作し、ラッチ受け５との係合が外され、ラッチ受け５が時計まわりに動作する。この一連の動作によりラッチ４とラッチ受け５の係合が外され、ラッチ４は、第一リンク２を介して伝達される開閉スプリング１０の発生力により、ラッチストッパ１２に接触するまで反時計まわりに回動する。このとき、可動子ホルダ６は、第二リンク３を介して開閉スプリング１０の発生力により時計まわりに動作することで開極状態となり、トグルピン７がサイドプレート１５に設けられたリンクストッパ２４に接触するまで第二リンク３が動作することで、トリップ開極位置で停止し、可動接触子１６を既定の位置で停止させる。
【００２７】
そして、トリップ開極状態となった開閉機構部の開閉ハンドル８を右方向に動作させると、ハンドル８に連結されたハンドルレバー９が、サイドプレート１５に設けられた軸を中心に時計まわりに回転し、ハンドルレバー９に設けた曲げ部でラッチ４を連動させながら、トグル機構１をリセットさせることができる。
このような動作において、サイドプレート１５に設けられたリンクストッパ２４の円弧面をトグルピン７が摺動するように動作し、リンクストッパ２４の終端部に設けられた延長カム部のカムに沿ってトグルピン７が動作することにより、第一リンク２および第二リンク３はラッチ受け５を含むトリップ機構部に近接することなく、リセット動作することができる。このとき、第二リンク３に連結された可動子ホルダ６が反時計まわりに動作し、通常の開極位置まで戻る。
【００２８】
さらに、ハンドル８を動作させることで、ラッチ４の先端部に設けられたラッチ突起部２１でラッチ受け５を反時計まわりに動作させ、トリップクロスバー１４およびラッチ受け５をリセットさせるとともに、ラッチ４とラッチ受け５の係合部もリセットさせる。このとき、第一リンク２は、ラッチ受け５との係合により所定の位置で停止したラッチ４に設けられた軸を中心にして回動し、開閉スプリング１０の発生力によりサイドプレート１５に設けられたリンクストッパ２４にトグルピン７を介して押し付けられるようにして止まる。これによって、可動接触子１６を含む可動子ホルダ６の停止位置が第二リンク３を介して第一リンク２の停止位置によって決定され、可動子ホルダ６が通常開極状態に戻る。
【００２９】
図６（ａ）は、本発明の第１実施形態に係る回路遮断器におけるラッチおよびラッチ受けの定常状態を示す側面図、図６（ｂ）は、本発明の第１実施形態に係る回路遮断器におけるラッチおよびラッチ受けの定常状態を示す斜視図である。
図６において、図３、４に示した通常の開閉動作時では、ラッチ４はラッチ受け５によって支持され、ラッチ受け５はトリップクロスバー１４により支持されている。このとき、ラッチ４に設けられたラッチ突起部２１は、ラッチ受け回転軸１３に引っ掛けられるようにして、ラッチ受け回転軸１３とクロスバー回転軸２０の間に位置するように構成されている。
【００３０】
図７（ａ）は、本発明の第１実施形態に係る回路遮断器におけるラッチおよびラッチ受けのトリップ状態を示す側面図、図７（ｂ）は、本発明の第１実施形態に係る回路遮断器におけるラッチおよびラッチ受けのトリップ状態を示す斜視図である。
図７において、図示しない電流検知部の機械的動作によりトリップクロスバー１４がクロスバー回転軸２０を中心に反時計回りに動作させられると、前述したトリップ動作によりラッチ４とラッチ受け５の係合が外され、ラッチ４は、ラッチ回転軸１１を中心にラッチストッパ１２に接触するまで回転する。
【００３１】
このとき、ラッチ４に設けられたラッチ突起部２１は、ラッチ４の回転動作に伴ってラッチ受け５を蹴り出すように動作し、ラッチ受け５を強制的に時計回りに回転動作させる。そして、ラッチ受け５が回転動作すると、ラッチ受け５に設けられたラッチ受け突起部２２も同様に回転動作し、トリップクロスバー１４に設けられたクロスバーカム部２３を押し込む。そして、このラッチ受け突起部２２の動作によってクロスバーカム部２３が押し込まれると、トリップクロスバー１４はクロスバー回転軸２０を中心に反時計回りに動作し、トリップクロスバー１４に設けられた付属品出力部で図示しない遮断器付属品である警報出力接点ユニットに機械的信号を出力することができる。
【００３２】
これにより、ラッチ４のトリップ動作をトリップクロスバー１４にて直接受けることなく、トリップ時のラッチ動作を確実にトリップクロスバー１４に伝達することが可能となり、ラッチ４のトリップ動作を受けるためのトリップレバーカム部をトリップクロスバー１４に設ける必要がなくなることから、ラッチ４のトリップ動作時にトリップクロスバー１４が開閉ハンドル８と干渉するのを防止して、トリップクロスバー１４の動作スペースを縮小化することが可能となる。また、ラッチ受け５に設けたラッチ受け突起部２２をトリップクロスバー１４に設けたクロスバーカム部２３と接触させることで、ラッチ受け５を介してラッチ４のトリップ動作をトリップクロスバー１４に伝達することが可能となり、警報出力接点ユニットなどの付属品への機械的信号を確実に伝達することができる。このため、ラッチ４の機械的信号を受け取る金属部品と極間を跨ぐ絶縁体部品の２部品からトリップクロスバー１４を構成する必要がなくなり、単一部品で構成することが可能となることから、機器の小形化、低コスト化を図るとともに、信頼性を向上させることができる。
【００３３】
図８（ａ）は、本発明の第２実施形態に係る回路遮断器におけるラッチおよびラッチ受けの定常状態を示す斜視図、図８（ｂ）は、本発明の第２実施形態に係る回路遮断器におけるラッチおよびラッチ受けのトリップ状態を示す斜視図、図９は、本発明の第２実施形態に係る回路遮断器におけるトリップクロスバーの動作を示す側面図、図１０は、本発明の第２実施形態に係る回路遮断器におけるラッチ受け突起部の概略構成を示す側面図である。
図１０において、ラッチ受け５に設けたラッチ受け突起部２２の先端形状は、図２のラッチ受け回転軸１３と同軸の円弧面Ｒと、先端部のフィレット円弧面ｒからなるように形成されている。
【００３４】
そして、図８および図９において、通常の開閉状態（図９（ａ））からトリップ信号を受けてトリップクロスバー１４が反時計回りに回転させられると（図９（ｂ））、ラッチ受け５とトリップクロスバー１４の係合が外され、ラッチ受け５が時計回りに回転動作する。そして、ラッチ受け５が回転動作すると、ラッチ受け突起部２２の先端の円弧面ｒがトリップクロスバー１４に設けたクロスバーカム部２３に接触し（図９（ｃ））、トリップクロスバー１４がクロスバー回転軸２０を中心に反時計回りに回転させられる（図９（ｄ））。そして、ラッチ４がラッチストッパ１２に接触して停止すると、ラッチ４に設けられたラッチ突起部２１も同様に停止し、ラッチ突起部２１によるラッチ受け５の蹴り出し動作が完了する（図９（ｅ））。
【００３５】
ここで、ラッチ受け５は、ラッチ４の蹴り出し動作による慣性力によって過回転するが（図９（ｆ））、ラッチ受け突起部２２の円弧面Ｒの中心はラッチ受け回転軸１３と同軸であるため、ラッチ受け５が過回転しても、トリップクロスバー１４に設けたクロスバーカム部２３を押し込む力が発生しないため、トリップクロスバー１４が所定の角度以上に回転するのを防止することができる。また、付属品出力部に反力を受けた場合には、トリップクロスバー１４は時計回りに動作しようとするが、クロスバーカム部２３の端部がラッチ受け突起部２２の円弧面Ｒによって動作を阻害され、かつ円弧面Ｒの中心はラッチ受け回転軸１３と同軸であることから、ラッチ受け５が反時計回りに動作するような力となることはなく、ラッチ受け回転軸１３の中心方向への軸力となり、トリップクロスバー１４が反力を受けても、所定の開度を維持することができる。
【図面の簡単な説明】
【００３６】
【図１】本発明の第１実施形態に係る回路遮断器の概略構成を示す断面図である。
【図２】本発明の第１実施形態に係る回路遮断器における開閉機構部の概略構成を示す斜視図である。
【図３】本発明の第１実施形態に係る回路遮断器における開閉機構部の閉極状態を示す側面図である。
【図４】本発明の第１実施形態に係る回路遮断器における開閉機構部の開極状態を示す側面図である。
【図５】本発明の第１実施形態に係る回路遮断器における開閉機構部のトリップ状態を示す側面図である。
【図６】図６（ａ）は、本発明の第１実施形態に係る回路遮断器におけるラッチおよびラッチ受けの定常状態を示す側面図、図６（ｂ）は、本発明の第１実施形態に係る回路遮断器におけるラッチおよびラッチ受けの定常状態を示す斜視図である。
【図７】図７（ａ）は、本発明の第１実施形態に係る回路遮断器におけるラッチおよびラッチ受けのトリップ状態を示す側面図、図７（ｂ）は、本発明の第１実施形態に係る回路遮断器におけるラッチおよびラッチ受けのトリップ状態を示す斜視図である。
【図８】図８（ａ）は、本発明の第２実施形態に係る回路遮断器におけるラッチおよびラッチ受けの定常状態を示す斜視図、図８（ｂ）は、本発明の第２実施形態に係る回路遮断器におけるラッチおよびラッチ受けのトリップ状態を示す斜視図である。
【図９】本発明の第２実施形態に係る回路遮断器におけるトリップクロスバーの動作を示す側面図である。
【図１０】本発明の第２実施形態に係る回路遮断器におけるラッチ受け突起部の概略構成を示す側面図である。
【図１１】従来の回路遮断器の主要部の概略構成を示す側面図である。
【図１２】従来の回路遮断器のトリップ機構部の定常状態を示す側面図である。
【図１３】従来の回路遮断器のトリップ機構部のトリップ状態を示す側面図である。
【符号の説明】
【００３７】
１  トグル機構
２  第一リンク
３  第二リンク
４  ラッチ
５  ラッチ受け
６  可動子ホルダ
７  トグルピン
８  開閉ハンドル
９  ハンドルレバー
１０  開閉スプリング
１１  ラッチ回転軸
１２  ラッチストッパ
１３  ラッチ受け回転軸
１４  トリップクロスバー
１５  サイドプレート
１６  可動接触子
１７  固定接触子
１８  ケース
１９  消弧室
２０  クロスバー回転軸
２１  ラッチ突起部
２２  ラッチ受け突起部
２３  クロスバーカム部
２４  リンクストッパ
２５  可動接点
２６  固定接点
【図１】
0004807135.tif 000002
【図２】
0004807135.tif 000003
【図３】
0004807135.tif 000004
【図４】
0004807135.tif 000005
【図５】
0004807135.tif 000006
【図６】
0004807135.tif 000007
【図７】
0004807135.tif 000008
【図８】
0004807135.tif 000009
【図９】
0004807135.tif 000010
【図１０】
0004807135.tif 000011
【図１１】
0004807135.tif 000012
【図１２】
0004807135.tif 000013
【図１３】
0004807135.tif 000014